(57)【要約】【課題】ギフト用カタログの紙葉に別の使用用途を与えて、ギフト用カタログの再使用を実現する。【解決手段】複数枚の紙葉１０を集合させて組み合わせたギフト用カタログ１において、商品説明１１Ａ（コンテンツ）を、紙葉１０の一方側の面に形成されたコンテンツ掲載面１１にのみ掲載させる。紙葉１０は、コンテンツ掲載面１１とは反対側の面が商品説明１１Ａの用途とは別の用途に供するための意匠１２Ａを有する意匠面１２として形成されて、ギフト用カタログ１から１枚ずつ分離することができるようにそれぞれ結合されている。【選択図】図１
0003174160.tif 000002
【実用新案登録請求の範囲】
【請求項１】
所定の商品群がコンテンツとして掲載された複数枚の紙葉を集合させて組み合わせたギフト用カタログであって、
前記コンテンツは、前記紙葉の一方側の面に形成されたコンテンツ掲載面にのみ掲載され、
前記紙葉は、前記コンテンツ掲載面とは反対側の面が前記コンテンツの用途とは別の用途に供するための意匠を有する意匠面として形成され、かつ、前記ギフト用カタログから１枚ずつ分離することができるようにそれぞれ結合されていることを特徴とするギフト用カタログ。
【請求項２】
請求項１に記載のギフト用カタログであって、
前記紙葉は、前記ギフト用カタログから１枚ずつ分離することで、紙製のランチョンマットとして使用することができるように構成されていることを特徴とするギフト用カタログ。
【請求項３】
請求項２に記載のギフト用カタログであって、
前記紙葉は、その紙面が長方形の４箇所の角部を曲線に置き換えた形状に形成されていることを特徴とするギフト用カタログ。
【請求項４】
請求項１ないし請求項３のいずれかに記載のギフト用カタログであって、
複数枚の前記紙葉を集合させて組み合わせるための結合部を備え、前記紙葉は、当該紙葉の端面で前記結合部に結合され、かつ、前記結合部の結合力よりも大きい外力が加えられることによって当該結合部から分離されることを特徴とするギフト用カタログ。
【請求項５】
請求項４に記載のギフト用カタログであって、
前記結合部には、前記紙葉の紙面を覆うことができる表紙が取り付けられていることを特徴とするギフト用カタログ。
【請求項６】
請求項１ないし請求項５のいずれかに記載のギフト用カタログであって、
前記紙葉は、前記意匠面の前記意匠と関連した意匠を前記コンテンツ掲載面に有していることを特徴とするギフト用カタログ。
【考案の詳細な説明】
【技術分野】
【０００１】
本考案は、ギフト用カタログに関する。詳しくは、所定の商品群がコンテンツとして掲載された複数枚の紙葉を集合させて組み合わせたギフト用カタログに関する。
【背景技術】
【０００２】
従来、贈答の際に、贈答先に商品の代わりとしてギフト用カタログを送ることが広く行われている。このギフト用カタログには、所定の商品群が掲載されており、贈答先はギフト用カタログに掲載された商品群から商品を選択して贈答品として受け取ることができるようになっている。
例えば、特許文献１には、ギフト用カタログを切り花とともに送るための技術が記載されている。
【先行技術文献】
【特許文献】
【０００３】
【特許文献１】特開２０１１−０４２３８９号公報
【考案の概要】
【考案が解決しようとする課題】
【０００４】
上記ギフト用カタログは、贈答先に送られるものであり、その紙および印刷には品質の高さが求められる。それにもかかわらず、ギフト用カタログは商品の代用品であるため、贈答先が商品を選択して受け取った後はその価値が失われる。すなわち、品質の高い紙および印刷を用いたギフト用カタログが、商品の選択のために１回使用されただけで不要物となってしまうという問題点があった。
本考案は、上記した問題を解決するものとして創案されたものである。すなわち、本考案が解決しようとする課題は、ギフト用カタログの紙葉に別の使用用途を与えて、ギフト用カタログの再使用を実現することである。
【課題を解決するための手段】
【０００５】
上記課題を解決するために、本考案のギフト用カタログは次の手段をとる。
まず、第１の考案は、所定の商品群がコンテンツとして掲載された複数枚の紙葉を集合させて組み合わせたギフト用カタログである。上記コンテンツは、紙葉の一方側の面に形成されたコンテンツ掲載面にのみ掲載されている。上記紙葉は、コンテンツ掲載面とは反対側の面が上記コンテンツの用途とは別の用途に供するための意匠を有する意匠面として形成され、かつ、ギフト用カタログから１枚ずつ分離することができるようにそれぞれ結合されている。
この第１の考案によれば、紙葉のコンテンツ掲載面に掲載されたコンテンツが不要となっても、紙葉を１枚ずつ分離することでその意匠面の意匠を別の用途に用いることができる。すなわち、ギフト用カタログの紙葉に別の使用用途を与えて、ギフト用カタログを再使用することができる。
【０００６】
ついで、第２の考案は、上述した第１の考案において、紙葉は、ギフト用カタログから１枚ずつ分離することで、紙製のランチョンマットとして使用することができるように構成されているものである。
ここで、「ランチョンマット」とは、食事の際に各人の食器類を乗せるための敷物であり、一般的には「プレースマット」とも呼ばれるものである。このランチョンマットには、布またはプラスチックなどの耐久性のある素材により再使用可能に形成されたものと、１回の使用で使い捨てることを前提とした紙製のものとが存在する。なお、紙製のランチョンマットには、その一方側の紙面に、食事の際に食卓を彩るための意匠がしばしば施される。
すなわち、上記第２の考案によれば、商品の選択のために１回使用されただけで不要物となるギフト用カタログを、１回の使用で使い捨てる紙製のランチョンマットとして再使用することができる。また、ギフト用カタログには品質の高い紙および印刷が用いられるので、上記紙製のランチョンマットの意匠性を、その製造コストを大きく増加させることなく向上させることができる。
【０００７】
さらに、第３の考案は、上述した第２の考案において、紙葉は、その紙面が長方形の４箇所の角部を曲線に置き換えた形状に形成されているものである。
この第３の考案によれば、ギフト用カタログを直方体に近い形状として、そのギフト用カタログとしての扱いやすさを向上させることができる。また、ギフト用カタログから紙葉を分離してランチョンマットとして再使用する際には、その紙面の各角部がランチョンマットの使用者に当たることを防止することができる。
【０００８】
さらに、第４の考案は、上述した第１から第３の考案のいずれかにおいて、複数枚の紙葉を集合させて組み合わせるための結合部を備え、紙葉は、この紙葉の端面で結合部に結合され、かつ、結合部の結合力よりも大きい外力が加えられることによってこの結合部から分離されるものである。
この第４の考案によれば、紙葉をその紙面を傷つけることなく簡単に分離させることができる。これにより、ギフト用カタログの紙葉を再使用する際に、その意匠面に掲載された意匠の意匠性が劣化することを防止することができる。
【０００９】
さらに、第５の考案は、上述した第４の考案において、結合部には、紙葉の紙面を覆うことができる表紙が取り付けられているものである。
この第５の考案によれば、ギフト用カタログの紙葉とこの紙葉を覆う表紙とを同一の部材に取り付ける簡単な構成により、上記紙葉の紙面を保護することができる。
【００１０】
さらに、第６の考案は、上述した第１から第５の考案のいずれかにおいて、紙葉は、意匠面の意匠と関連した意匠をコンテンツ掲載面に有しているものである。
この第６の考案によれば、関連した意匠により紙葉のコンテンツ掲載面と意匠面とのイメージを統一させることができる。このため、ギフト用カタログから商品を選択する際に、ギフト用カタログのイメージを統一することができる。
【図面の簡単な説明】
【００１１】
【図１】本考案の一実施形態に係るギフト用カタログの使用状態を表した斜視図である。
【図２】上記ギフト用カタログの正面図である。
【図３】上記ギフト用カタログの左側面図である。
【図４】上記ギフト用カタログの右側面図である。
【図５】上記ギフト用カタログの平面図である。
【図６】上記ギフト用カタログの底面図である。
【図７】図６の部分拡大図である。
【図８】上記ギフト用カタログの背面図である。
【図９】上記ギフト用カタログの紙葉のコンテンツ掲載面を表した正面図である。
【図１０】上記ギフト用カタログの紙葉の意匠面を表した正面図である。
【図１１】上記意匠面における意匠の例を表した正面図である。
【考案を実施するための形態】
【００１２】
以下に、本考案を実施するための一実施形態に係るギフト用カタログ１の構成について、図１ないし図１１を用いて説明する。このギフト用カタログ１は、図１に示すように、出産祝いの商品の商品説明１１Ａ（例えば、図１の目覚まし時計の写真）が掲載された複数枚の紙葉１０を集合させて組み合わせたギフト用カタログである。ここで、商品説明１１Ａが本発明における「コンテンツ」に相当する。
上記商品説明１１Ａは、図１、図９および図１０に示すように、各紙葉１０の一方側の面に形成されたコンテンツ掲載面１１にのみ掲載されている。また、各紙葉１０のコンテンツ掲載面１１とは反対側の面は、意匠１２Ａを有する意匠面１２として形成されている。なお、本実施形態では、各コンテンツ掲載面１１は、ギフト用カタログ１を閉じたときに表表紙１３Ａ側に位置する面（すなわち、図１で見て上側に位置する面）に配設されている。
【００１３】
上記各紙葉１０は、図１に示すように、その各紙面の縁部のうち、１辺側の直線部分１０Ａがそれぞれ結合されている。この結合は、図７に示すように、各紙葉１０の各端面１０Ｂを接着剤層１３Ｄにより接着することにより形成される。そして、各紙葉１０は、接着剤層１３Ｄの結合力よりも大きい外力が加えられることによって、この接着剤層１３Ｄから１枚ずつ分離できるように構成されている。ここで、接着剤層１３Ｄが本発明における「結合部」に相当する。
上記構成によれば、ギフト用カタログ１から商品が選択されて、紙葉１０のコンテンツ掲載面１１に掲載された商品説明１１Ａが不要となっても、紙葉１０を１枚ずつ分離することでその意匠面１２の意匠１２Ａを別の用途に用いることができる。すなわち、ギフト用カタログ１の紙葉１０に別の使用用途を与えて、ギフト用カタログ１を再使用することができる。さらに、ギフト用カタログ１の各紙葉１０を、その紙面を傷つけることなく簡単に分離することができる。これにより、ギフト用カタログ１の各紙葉１０を再使用する際に、その意匠面１２に掲載された意匠１２Ａの意匠性が劣化することを防止することができる。
【００１４】
ここで、ギフト用カタログ１から１枚ずつ分離された紙葉１０は、その意匠面１２を上に向けて置くことで、紙製の幼児用ランチョンマットとして使用することができるように構成されている。このため、商品の選択のために１回使用されただけで不要物となるギフト用カタログ１を、１回の使用で使い捨てる紙製の幼児用ランチョンマットとして再使用することができる。
また、ギフト用カタログ１には品質の高い紙および印刷が用いられるので、上記紙製の幼児用ランチョンマットの意匠性を、その製造コストを大きく増加させることなく向上させることができる。
【００１５】
また、各紙葉１０には、図９および図１０に示すように、その意匠面１２に掲載された意匠１２Ａ（例えば、図１０のブタの意匠）と関連した意匠１１Ｂ（例えば、図９のブタの意匠）がコンテンツ掲載面１１に掲載されている。このため、各紙葉１０は、上記意匠１１Ｂにより紙葉１０のコンテンツ掲載面１１と意匠面１２とのイメージを統一されるようになっている。これにより、ギフト用カタログ１から商品を選択するときに、ギフト用カタログ１のイメージを統一することができる。
なお、本実施形態では、上記意匠面１２の意匠１２Ａは各紙葉１０により異なるものが用いられている。具体的には、図１０および図１１に示すように、意匠面１２の意匠１２Ａとしては、それぞれライオン、ヒツジ、ウサギ、クマ、ブタをかたどった５種類の意匠が用いられている。また、上記コンテンツ掲載面１１の意匠１１Ｂには、上記意匠１２Ａと対応した５種類の意匠（クマは図１参照、ブタは図９参照、その他は図示省略）が用いられている。
【００１６】
また、各紙葉１０は、図１、図９および図１０に示すように、その各紙面が長方形の４箇所の角部を円弧状に丸めた形状に形成されている。これにより、ギフト用カタログ１を直方体に近い形状（図２ないし図８参照）として、そのギフト用カタログとしての扱いやすさを向上させることができる。また、ギフト用カタログ１から紙葉１０を分離して幼児用ランチョンマットとして再使用する際には、その紙面の各角部が幼児用ランチョンマットを使用している幼児に当たることを防止することができる。
【００１７】
ところで、上述した接着剤層１３Ｄには、各紙葉１０の各端面１０Ｂとは反対側（図７で見て左側）から表紙１３が貼り付けられている。この表紙１３は、１枚の紙を切り抜くことで、その背表紙１３Ｃ、表表紙１３Ａおよび裏表紙１３Ｂが一体に繋がった状態で形成されている。なお、本実施形態では、表表紙１３Ａおよび裏表紙１３Ｂには、図２および図８に示すように、それぞれヒツジの意匠１３Ｅ、１３Ｆが外部に露見するように掲載されている。
上記背表紙１３Ｃは、接着剤層１３Ｄに各紙葉１０の各端面１０Ｂとは反対側（図７で見て左側）から貼り付けられている。また、上記表表紙１３Ａおよび裏表紙１３Ｂは、積層された状態で接着剤層１３Ｄにより結合された紙葉１０を挟み込むように配設されて、この紙葉１０をその紙面が露見しないように覆う（図２および図８参照）ことができるようになっている。
上記構成によれば、ギフト用カタログ１の紙葉１０を結合させる接着剤層１３Ｄに表紙１３を貼り付けて、この表紙１３により紙葉１０を覆うという簡単な構成を用いて、紙葉１０の紙面を保護することができる。
【００１８】
本考案は、上述した一実施形態で説明した外観、構成に限定されず、本考案の要旨を変更しない範囲で種々の変更、追加、削除が可能である。例えば、以下のような各種の形態を実施することができる。
（１）ギフト用カタログの各紙葉において、そのどちら側の面にコンテンツ掲載面を形成するかは、紙葉ごとに適宜設定することができる。
（２）各紙葉の結合および分離の構成は上記実施形態に限定されない。すなわち、例えば複数枚の紙葉をリング綴じにより結合させてギフト用カタログとした構成を用いることができる。
（３）ギフト用カタログのコンテンツおよび意匠は適宜変更することができる。また、ギフト用カタログにコンテンツまたは意匠が掲載されていない紙葉を適宜追加することができる。
【符号の説明】
【００１９】
１      ギフト用カタログ
１０    紙葉
１０Ａ  直線部分
１０Ｂ  端面
１１    コンテンツ掲載面
１１Ａ  商品説明（コンテンツ）
１１Ｂ  意匠
１２    意匠面
１２Ａ  意匠
１３    表紙
１３Ａ  表表紙
１３Ｂ  裏表紙
１３Ｃ  背表紙
１３Ｄ  接着剤層（結合部）
１３Ｅ  意匠
１３Ｆ  意匠
【図１】
0003174160.tif 000003
【図２】
0003174160.tif 000004
【図３】
0003174160.tif 000005
【図４】
0003174160.tif 000006
【図５】
0003174160.tif 000007
【図６】
0003174160.tif 000008
【図７】
0003174160.tif 000009
【図８】
0003174160.tif 000010
【図９】
0003174160.tif 000011
【図１０】
0003174160.tif 000012
【図１１】
0003174160.tif 000013